(57)【要約】【課題】コストダウンできて、使用方法を覚え易くすることができ、誤操作を防止できるコントロール装置および暖房給湯装置を提供する。【解決手段】貯湯タンク装置１０２には本体操作装置１が取り付けられている。本体操作装置１は、貯湯タンク装置１０２を操作するためのオン／オフボタン、クワイエット運転ボタン、…およびブーストヒータ運転ボタンを有している。貯湯タンク装置１０２はリモコン２で遠隔操作可能である。リモコン２は、オン／オフボタン、クワイエット運転ボタン、…、ブーストヒータ運転ボタンを有して、外観表面が本体操作装置１の外観表面と同じである。リモコン２のオン／オフボタン、クワイエット運転ボタン、…およびブーストヒータ運転ボタンは、本体操作装置１のオン／オフボタン、クワイエット運転ボタン、…およびブーストヒータ運転ボタンと同じ形状、同じ大きさおよび同じ機能である。【選択図】図１
2009186047.tif 000002
【特許請求の範囲】
【請求項１】
被操作物(１０２)に取り付けられ、上記被操作物(１０２)を操作するための複数の操作部(１ｂ，１ｃ，…，１ｌ)を有する第１操作装置(１)と、
上記被操作物(１０２)を遠隔操作すると共に、複数の操作部(２ｂ，２ｃ，…，２ｌ)を有して、外観表面が上記第１操作装置(１)の外観表面と同じである第２操作装置(２)と
を備え、
上記第２操作装置(２)の各操作部(２ｂ，２ｃ，…，２ｌ)は、上記第１操作装置(１)の各操作部(１ｂ，１ｃ，…，１ｌ)と同じ形状、同じ大きさおよび同じ機能であることを特徴とするコントロール装置。
【請求項２】
請求項１に記載のコントロール装置において、
上記第２操作装置(２)の複数の操作部(２ｂ，２ｃ，…，２ｌ)の一部の機能は無効化されていることを特徴とするコントロール装置。
【請求項３】
請求項１または２に記載のコントロール装置において、
上記第１操作装置(１)はマスタとなる一方、上記第２操作装置(２)はスレーブとなるように設定されていることを特徴とするコントロール装置。
【請求項４】
ヒートポンプユニット(１０１)と、
上記ヒートポンプユニット(１０１)で加熱された温水を貯える貯湯タンク装置(１０２)と、
上記貯湯タンク装置(１０２)から温水の供給を受けるラジエタ(１０３)と、
上記貯湯タンク装置(１０２)に取り付けられ、上記ヒートポンプユニット(１０１)および貯湯タンク装置(１０２)を操作するための複数の操作部(１ｂ，１ｃ，…，１ｌ)を有する第１操作装置(１)と、
上記ヒートポンプユニット(１０１)および貯湯タンク装置(１０２)を遠隔操作すると共に、複数の操作部(２ｂ，２ｃ，…，２ｌ)を有して、外観表面が上記第１操作装置(１)の外観表面と同じである第２操作装置(２)と
を備え、
上記第２操作装置(２)の各操作部(２ｂ，２ｃ，…，２ｌ)は、上記第１操作装置(１)の各操作部(１ｂ，１ｃ，…，１ｌ)と同じ形状、同じ大きさおよび同じ機能であることを特徴とする暖房給湯装置。
【発明の詳細な説明】
【技術分野】
【０００１】
本発明はコントロール装置および暖房給湯装置に関する。
【背景技術】
【０００２】
従来、リモコンで遠隔操作可能な装置としては、特開２００２−３１８００３号公報（特許文献１）の給湯装置がある。この給湯装置には操作装置が取り付けられている。
【０００３】
通常、上記操作装置には非常に多くのボタンを設け、インストーラが現地で多くの設定を行えるようにしていた。一方、上記リモコンに設けるボタンの数は極力少なくし、リモコンの操作性を良くしていた。
【０００４】
その結果、被操作物を遠隔操作するリモコンは、被操作対象物に取り付けた操作装置と形状やボタンの数が異なっていた。
【０００５】
したがって、上記リモコンは操作装置と異なる部品で製造するので、コストアップを引き起こすという問題があった。
【０００６】
また、上記操作装置とリモコンとは操作方法が互いに異なるので、ユーザは操作装置およびリモコンの操作方法を覚え難く、操作装置およびリモコンの誤操作が頻繁するという問題あった。
【特許文献１】特開２００２−３１８００３号公報
【発明の開示】
【発明が解決しようとする課題】
【０００７】
そこで、本発明の課題は、コストダウンできて、使用方法を覚え易くすることができ、誤操作を防止できるコントロール装置および暖房給湯装置を提供することにある。
【課題を解決するための手段】
【０００８】
上記課題を解決するため、本発明のコントロール装置は、
被操作物に取り付けられ、複数の操作部を有する第１操作装置と、
上記被操作物を遠隔操作すると共に、複数の操作部を有して、外観表面が上記第１操作装置の外観表面と同じである第２操作装置と
を備え、
上記第２操作装置の各操作部は、上記第１操作装置の各操作部と同じ形状、同じ大きさおよび同じ機能であることを特徴としている。
【０００９】
上記構成のコントロール装置によれば、上記被操作物を遠隔操作する第２操作装置は、被操作物に取り付けられた第１操作装置と外観表面が同じであるので、第１操作装置と同じ部品で製造できる。
【００１０】
したがって、上記第１，第２操作装置の製造に必要な部品の数を少なくして、製造コストを下げることができる。
【００１１】
また、上記第２操作装置の各操作部は、第１操作装置の各操作部と同じ形状、同じ大きさおよび同じ機能であるから、第１，第２操作装置の一方の操作方法を覚えれば、第１，第２操作装置の他方の操作方法を覚えなくて良い。
【００１２】
したがって、上記第１，第２操作装置の操作方法を覚えるのに要する時間は少なくなり、第１，第２操作装置の操作方法は覚え易い。
【００１３】
また、上記第２操作装置の各操作部は、第１操作装置の各操作部と同じ形状、同じ大きさおよび同じ機能であるので、第１操作装置と第２操作装置とを同じように操作できる。
【００１４】
したがって、上記第１，第２操作装置に異なる操作が行われ難く、第１，第２操作装置は誤操作される可能は低い。
【００１５】
一実施形態のコントロール装置では、
上記第２操作装置の複数の操作部の一部の機能は無効化されている。
【００１６】
上記実施形態のコントロール装置によれば、上記第２操作装置の複数の操作部の一部の機能は例えばソフトで無効化されているので、第２操作装置においてユーザが操作する操作部の数が少なくなり、第２操作装置の操作性を向上させることができる。
【００１７】
一実施形態のコントロール装置では、
上記第１操作装置はマスタとなる一方、上記第２操作装置はスレーブとなるように設定されている。
【００１８】
上記実施形態のコントロール装置によれば、上記第１操作装置はマスタとなる一方、第２操作装置はスレーブとなるように設定されているので、第２操作装置の一部の機能を制限することができる。
【００１９】
本発明の暖房給湯装置は、
ヒートポンプユニットと、
上記ヒートポンプユニットで加熱された温水を貯える貯湯タンク装置と、
上記貯湯タンク装置から温水の供給を受けるラジエタと、
上記貯湯タンク装置に取り付けられ、複数の操作部を有する第１操作装置と、
上記貯湯タンク装置を遠隔操作すると共に、複数の操作部を有して、外観表面が上記第１操作装置の外観表面と同じである第２操作装置と
を備え、
上記第２操作装置の各操作部は、上記第１操作装置の各操作部と同じ形状、同じ大きさおよび同じ機能であることを特徴としている。
【００２０】
上記構成の暖房給湯装置によれば、上記貯湯タンク装置を遠隔操作する第２操作装置は、貯湯タンク装置に取り付けられた第１操作装置と外観表面が同じであるので、第１操作装置と同じ部品で製造できる。
【００２１】
したがって、上記第１，第２操作装置の製造に必要な部品の数を少なくして、製造コストを下げることができる。
【００２２】
また、上記第２操作装置の各操作部は、第１操作装置の各操作部と同じ形状、同じ大きさおよび同じ機能であるから、第１，第２操作装置の一方のみの操作方法を覚えるだけでよい。
【００２３】
したがって、上記第１，第２操作装置の操作方法を覚えるのに要する時間は少なくなり、第１，第２操作装置の操作方法は覚え易い。
【００２４】
また、上記第２操作装置の各操作部は、第１操作装置の各操作部と同じ形状、同じ大きさおよび同じ機能であるので、第１操作装置と第２操作装置とを同じように操作できる。
【００２５】
したがって、上記第１，第２操作装置に異なる操作が行われ難く、第１，第２操作装置の誤操作を防止できる。
【発明の効果】
【００２６】
本発明のコントロール装置によれば、被操作物を遠隔操作する第２操作装置の外観表面が、被操作物に取り付けられた第１操作装置の外観表面と同じだから、第１操作装置の部品と第２操作装置の部品とを共通化し、コストダウンを図ることができる。
【００２７】
また、上記第２操作装置の各操作部の形状、大きさおよび機能が、第１操作装置の各操作部の形状、大きさおよび機能と同じであることによって、第２操作装置の操作方法と第１操作装置の操作方法とを同じにできるので、第１，第２操作装置の操作方法を覚え易くすることができる。
【００２８】
また、上記第２操作装置の各操作部の形状、大きさおよび機能が、第１操作装置の各操作部の形状、大きさおよび機能と同じであることによって、第２操作装置と第１操作装置とを同じように操作できるので、第１，第２操作装置に対する誤操作を防ぐことができる。
【００２９】
本発明の暖房給湯装置によれば、貯湯タンクを遠隔操作する第２操作装置の外観表面が、貯湯タンクに取り付けられた第１操作装置の外観表面と同じだから、第１操作装置の部品と第２操作装置の部品とを共通化し、コストダウンを低減できる。
【００３０】
また、上記第２操作装置の各操作部の形状、大きさおよび機能が、第１操作装置の各操作部の形状、大きさおよび機能と同じであることによって、第２操作装置の操作方法と第１操作装置の操作方法とを同じにできるので、第１，第２操作装置の操作方法を覚える困難性を低くすることができる。
【００３１】
また、上記第２操作装置の各操作部の形状、大きさおよび機能が、第１操作装置の各操作部の形状、大きさおよび機能と同じであることによって、第２操作装置と第１操作装置とを同じように操作できるので、第１，第２操作装置の誤操作を起こり難くすることができる。
【発明を実施するための最良の形態】
【００３２】
以下、本発明のコントロール装置を図示の実施の形態により詳細に説明する。
【００３３】
図１は、本発明の一実施の形態の暖房給湯装置の構成を説明するための模式図である。
【００３４】
上記暖房給湯装置は、ヒートポンプユニット１０１と、このヒートポンプユニット１０１で加熱された温水を貯える貯湯タンク本体１０を有する貯湯タンク装置１０２と、この貯湯タンク装置１０２から温水の供給を受けるラジエタ１０３とを備えている。なお、上記ヒートポンプユニット１０１，貯湯タンク装置１０２は被操作物の一例である。
【００３５】
上記ヒートポンプユニット１０１は屋外に配置されている。このヒートポンプユニット１０１は、電動送風機３と、冷媒が流れる蒸発器４、圧縮機５、凝縮器６、過冷却熱交換器７および膨張弁８を有している。そして、上記ヒートポンプユニット１０１には、貯湯タンク本体１０内の温水が第１連絡水配管１０４を介して供給される。この温水は、ヒートポンプユニット１０１で加熱されて高温となった後、第２連絡水配管１０５を介して貯湯タンク本体１０に戻る。このような温水の循環は、貯湯タンク本体１０内の温水が沸き上がるまで継続する。
【００３６】
上記貯湯タンク装置１０２は屋内の機械室に配置されている。この貯湯タンク装置１０２は、貯湯タンク本体１０の他に、沸き上げ用循環ポンプ１１、沸き上げ用三方弁１２、暖房用三方弁１３、暖房用混合弁１４、第１，第２温度センサ１５，１６、制御部１７および暖房用循環ポンプ１８を有している。
【００３７】
また、上記貯湯タンク装置１０２には、ヒートポンプユニット１０１および貯湯タンク装置１０２を操作するための本体操作装置１が取り付けられている。この本体操作装置１を使用して、インストーラがヒートポンプユニット１０１および貯湯タンク装置１０２の設定を行ったり、ユーザがヒートポンプユニット１０１および貯湯タンク装置１０２を操作したりする。なお、上記本体操作装置１は第１操作装置の一例である。
【００３８】
また、上記貯湯タンク装置１０２はリモコン２で遠隔操作できる。このリモコン２は屋内の居室の壁に取り付けられている。また、上記リモコン２は通信線１１０を介して貯湯タンク装置１０２に接続されている。なお、上記リモコン２は第２操作装置の一例である。
【００３９】
上記沸き上げ用循環ポンプ１１は、貯湯タンク本体１０内の温水を吸い込み、この吸い込んだ温水を凝縮器６へ向けて吐出する。
【００４０】
上記沸き上げ用三方弁１２は、給湯運転中および暖房運転中、凝縮器６からの高温の温水を貯湯タンク本体１０の上部に流す。また、上記沸き上げ用三方弁１２は、凍結防止運転中、貯湯タンク本体１０から流れてきた温水を貯湯タンク本体１０の下部に流す。なお、上記凍結防止運転は沸き上げ運転の停止中に行われる。
【００４１】
上記暖房用三方弁１３は貯湯タンク本体１０と暖房用混合弁１４との間に設置されている。この暖房用三方弁１３は、貯湯タンク本体１０の上部からの高温の温水をラジエタ１０３に流したり、貯湯タンク本体１０の上下方向の中央部からの高温の温水をラジエタ１０３に流したりする。つまり、上記暖房用三方弁１３を切り替えることにより、貯湯タンク本体１０の上部内にある高温の温水をラジエタ１０３に供給したり、貯湯タンク本体１０の上下方向の中央部内にある高温の温水をラジエタ１０３に供給したりすることができる。
【００４２】
上記暖房用混合弁１４は、貯湯タンク本体１０からの温水が流入する入口と、ラジエタ１０３から貯湯タンク本体１０へ向かう温水の一部が分岐して流入する入口とを有している。この暖房用混合弁１４の各入口の開度は制御部１７によって調節される。
【００４３】
上記第１温度センサ１５は、貯湯タンク本体１０からラジエタ１０３へ向かう温水の温度を検出し、この温度を示す信号を制御部１７に送る。
【００４４】
上記第２温度センサ１６は、ラジエタ１０３から貯湯タンク本体１０へ向かう温水の温度を検出し、この温度を示す信号を制御部１７に送る。
【００４５】
上記制御部１７は、外気温度センサ９から、外気温度を示す信号を受けると共に、室内温度センサ（図示せず）から、室内温度を示す信号を受ける。また、上記制御部１７は、貯湯タンク本体１０内の各部の温水の温度を検出する複数の温度センサからの信号に基づき、暖房用三方弁１３を切り替える。また、上記制御部１７は、通信線１１１を介して制御信号をヒートポンプユニット１０１へ送る。
【００４６】
上記暖房用循環ポンプ１８は、貯湯タンク本体１０内の温水を暖房用三方弁１３，暖房用混合弁１４を介して吸い込み、ラジエタ１０３に向けて吐出する。
【００４７】
上記貯湯タンク本体１０内には、コイル状のパイプから成る給湯用熱交換器１９と、貯湯タンク本体１０内の温水を直接加熱するヒータ２０とが配置されている。また、図示しないが、上記貯湯タンク本体１０内の各部の温水の温度を検出するため、複数の温度センサを貯湯タンク本体１０に設けている。この複数の温度センサは、貯湯タンク本体１０内の各部の温水の温度を検出し、その温度を示す信号を制御部１７に送る。
【００４８】
また、上記貯湯タンク装置１０２内の高温の温水は、屋内の居室に設置されたラジエタ１０３に第１暖房温水配管１０６を介して送られる。そして、上記ラジエタ１０３で熱を放出して低温となった温水が第２暖房温水配管１０７を介して貯湯タンク装置１０２に戻る。このような温水の循環が繰り返されることによって、室内が暖房される。
【００４９】
上記給湯用熱交換器１９内では給湯水が給湯ノズル１０８へ向かって流れる。このとき、上記給湯水は、給湯用熱交換器１９を介して、貯湯タンク本体１０内の温水と熱交換して、高温となる。この高温の給湯水が、給湯配管１０９を流れて、屋内の居室の給湯ノズル１０８から吐出される。
【００５０】
図２は本体操作装置１の概略正面図であり、図３はリモコン２の概略正面図である。
【００５１】
上記本体操作装置１の外観表面には、図２に示すように、液晶表示部１ａ、オン／オフボタン１ｂ、クワイエット運転ボタン１ｃ、自動温度設定ボタン１ｄ、試運転ボタン１ｅ、プログラムボタン１ｆ、スケジュールタイマボタン１ｇ、タイマ設定ボタン１ｈ、暖房温度設定ボタン１ｉ、給湯温度設定ボタン１ｊ、暖房運転ボタン１ｋおよびブーストヒータ運転ボタン１ｌが設けられている。なお、上記オン／オフボタン１ｂ、…およびブーストヒータ運転ボタン１ｌは、第１操作装置の操作部の一例である。
【００５２】
上記液晶表示部１ａは運転内容等を表示する。例えば、上記液晶表示部１ａは、給湯設定温度、暖房設定温度、エラコードを表示する。
【００５３】
上記オン／オフボタン１ｂは、暖房給湯装置の電源をＯＮしたり、暖房給湯装置の電源をＯＦＦしたりするためのボタンである。
【００５４】
上記クワイエット運転ボタン１ｃは低騒音な運転を行う場合に使用される。つまり、上記クワイエット運転ボタン１ｃを押すことにより、通常の運転より静かな暖房運転または給湯運転を行える。
【００５５】
上記自動温度設定ボタン１ｄは、暖房運転が行われている時に、給湯温度を設定するために使用される。
【００５６】
上記試運転ボタン１ｅは暖房給湯装置の試運転するためのボタンである。例えば暖房給湯装置の設置直後に不具合がないかを確かめるため、試運転ボタン１ｅを押して、暖房給湯装置の試運転する。
【００５７】
上記プログラムボタン１ｆ、スケジュールタイマボタン１ｇおよびタイマ設定ボタン１ｈは、時刻合わせや、スケジュールタイマ設定に使用される。このスケジュールタイマ設定とは、暖房給湯装置に所望の運転を所望の時間に行わせるための設定である。
【００５８】
上記暖房温度設定ボタン１ｉを操作すると、ラジエタ１０３に供給する温水の温度や流量が変更される。これにより、上記暖房温度設定ボタン１ｉによって室内の暖房温度を変更することができる。つまり、上記暖房温度設定ボタン１ｉは、室内の暖房温度を変更するためのボタンである。
【００５９】
上記給湯温度設定ボタン１ｊは、給湯ノズル１０８から吐出される給湯水の温度を変更するためのボタンである。
【００６０】
上記暖房運転ボタン１ｋは暖房運転に使用する。この暖房運転ボタン１ｋを押すと、ヒートポンプユニット１０１および暖房用循環ポンプ１８が稼働して、貯湯タンク本体１０内の温水がラジエタ１０３に供給される。
【００６１】
上記ブーストヒータ運転ボタン１ｌは、貯湯タンク本体１０内の温水を短時間で沸き上げたい場合に使用される。このブーストヒータ運転ボタン１ｌを押すと、ヒータ２０が温水を直接加熱する。
【００６２】
上記リモコン２は、図３に示すように、外観表面が本体操作装置１の外観表面と同じになっている。また、上記リモコン２の外観表面には、液晶表示部２ａ、オン／オフボタン２ｂ、クワイエット運転ボタン２ｃ、自動温度設定ボタン２ｄ、試運転ボタン２ｅ、プログラムボタン２ｆ、スケジュールタイマボタン２ｇ、タイマ設定ボタン２ｈ、暖房温度設定ボタン２ｉ、給湯温度設定ボタン２ｊ、暖房運転ボタン２ｋおよびブーストヒータ運転ボタン２ｌが設けられている。なお、上記オン／オフボタン２ｂ、…およびブーストヒータ運転ボタン２ｌは、第２本体操作装置１の操作部の一例である。
【００６３】
上記オン／オフボタン２ｂはオン／オフボタン１ｂと、クワイエット運転ボタン２ｃはクワイエット運転ボタン１ｃと、自動温度設定ボタン２ｄは自動温度設定ボタン１ｄと、試運転ボタン２ｅは試運転ボタン１ｅと、プログラムボタン２ｆはプログラムボタン１ｆと、スケジュールタイマボタン２ｇはスケジュールタイマボタン１ｇと、タイマ設定ボタン２ｈはタイマ設定ボタン１ｈと、暖房温度設定ボタン２ｉは暖房温度設定ボタン１ｉと、給湯温度設定ボタン２ｊは給湯温度設定ボタン１ｊと、暖房運転ボタン２ｋは暖房運転ボタン１ｋと、ブーストヒータ運転ボタン２ｌはブーストヒータ運転ボタン１ｌと、それぞれ、同じ形状、同じ大きさおよび同じ機能を有している。また、上記オン／オフボタン２ｂ、…およびブーストヒータ運転ボタン２ｌのうち、試運転ボタン２ｅの機能はソフトで無効化されている。つまり、ユーザが試運転ボタン２ｅを押しても、リモコン２から貯湯タンク装置１０２に信号は出力されない。
【００６４】
上記試運転ボタン２ｅは、インストーラまたはサービスマンが、不具合時の詳細確認、現地設定入力（各家庭ごとの設置場所、家族構成、気象条件等を個別に設定する値）のために使用するボタンであって、ユーザが使用するボタンではない。
【００６５】
仮に、上記試運転ボタン２ｅの機能が無効化されていないなら、ユーザが試運転ボタン２ｅを間違って押した場合、現地設定の値等の変更されて、運転状態が不調になる可能性がある。このため、上述したように、試運転ボタン２ｅの機能を無効化しておくのが好ましい。
【００６６】
また、上記本体操作装置１はマスタとなる一方、リモコン２はスレーブとなるように設定されている。
【００６７】
上記構成の暖房給湯装置によれば、上記貯湯タンク装置１０２を遠隔操作するリモコン２は、貯湯タンク装置１０２に取り付けられた本体操作装置１と外観表面が同じであるから、本体操作装置１と同じ部品で製造できる。
【００６８】
したがって、上記本体操作装置１およびリモコン２の製造に必要な部品の数は少なくて、製造コストを低減することができる。
【００６９】
また、上記リモコン２のオン／オフボタン２ｂ、…およびブーストヒータ運転ボタン２ｌは、本体操作装置１のオン／オフボタン１ｂ、…およびブーストヒータ運転ボタン１ｌと同じ形状、同じ大きさおよび同じ機能であるから、本体操作装置１の操作方法を覚えれば、リモコン２の操作方法を覚えなくて済む。あるいは、上記リモコン２の操作方法を覚えれば、本体操作装置１の操作方法を覚えなくて済む。
【００７０】
したがって、上記本体操作装置１およびリモコン２の操作方法を覚える時間は短くて、本体操作装置１およびリモコン２の操作方法は覚え易い。
【００７１】
また、上記リモコン２のオン／オフボタン２ｂ、…およびブーストヒータ運転ボタン２ｌは、本体操作装置１のオン／オフボタン１ｂ、…およびブーストヒータ運転ボタン１ｌと同じ形状、同じ大きさおよび同じ機能であるから、リモコン２と本体操作装置１とを同じように操作することができる。
【００７２】
したがって、上記本体操作装置１をリモコン２と同じように操作しても、その操作は誤操作とならず、また、リモコン２を本体操作装置１と同じように操作しても、その操作は誤操作とならないので、本体操作装置１およびリモコン２の誤操作の発生を低減できる。
【００７３】
また、上記オン／オフボタン２ｂ、…およびブーストヒータ運転ボタン２ｌのうち、試運転ボタン２ｅの機能は無効化されているので、リモコン２においてユーザが操作するボタンの数が少なくなり、リモコン２の操作性を向上させることができる。
【００７４】
また、上記本体操作装置１はマスタとなる一方、リモコン２はスレーブとなるように設定されているので、リモコン２の一部の機能を制限することができる。
【００７５】
上記実施の形態では、リモコン２は居室に１つ設けていたが、リモコン２と同じリモコンを居室に複数設けてもよい。
【００７６】
上記実施の形態では、本発明の一実施の形態のコントロール装置を暖房給湯装置に適用したが、例えばエアコン等に適用してもよい。要するに、被操作物を近接操作する第１操作装置と、被操作物を遠隔操作する第２操作装置とを備えた機器に、本発明のコントロール装置を適用することができる。
【００７７】
上記実施の形態では、過冷却熱交換器７を有するヒートポンプユニット１０１を用いていたが、過冷却熱交換器７を有さないヒートポンプユニットを用いてもよい。
【図面の簡単な説明】
【００７８】
【図１】図１は本発明の一実施の形態の暖房給湯装置の模式図である。
【図２】図２は本体操作装置の概略正面図である。
【図３】図３はリモコンの概略正面図である。
【符号の説明】
【００７９】
１  本体操作装置
２  リモコン
１ｂ，２ｂ  オン／オフボタン
１ｃ，２ｃ  クワイエット運転ボタン、
１ｄ，２ｄ  自動温度設定ボタン
１ｅ，２ｅ  試運転ボタン
１ｆ，２ｆ  プログラムボタン
１ｇ，２ｇ  スケジュールタイマボタン
１ｈ，２ｈ  タイマ設定ボタン
１ｉ，２ｉ  暖房温度設定ボタン
１ｊ，２ｊ  給湯温度設定ボタン
１ｋ，２ｋ  暖房運転ボタン
１ｌ，２ｌ  ブーストヒータ運転ボタン
１０１  ヒートポンプユニット
１０２  貯湯タンク装置
１０３  ラジエタ
【図１】
2009186047.tif 000003
【図２】
2009186047.tif 000004
【図３】
2009186047.tif 000005